(57)【要約】【課題】撮像面全面において最適な焦点検出を行うことができ、かつ最適な光量にてユーザが常に光学ファインダで被写体の観察を行うことを可能とする撮像装置を提供する。【解決手段】カメラ１００が、フォーカスレンズ１０３を介して入射される光束を反射／透過可能なメインミラー１０７と、メインミラーからの反射光束を用いて被写体を観察可能に構成された光学ファインダ部１０４と、メインミラーを透過した光束の一部を光電変換して画像信号を出力する撮像素子１０５と、メインミラーを透過した光束の一部を反射するサブミラー１０８と、サブミラーからの反射光束を用いて焦点状態を検出する焦点検出部１０９と、撮像素子１０５により出力された画像信号に基づいて焦点状態を検出する焦点検出部とを備える。カメラが備える制御部が、選択された焦点状態の検出対象領域に応じて、メインミラーによる光束の透過率を可変制御する。【選択図】図１
2014202780.tif 000002
【特許請求の範囲】
【請求項１】
撮影レンズを介して入射される光束を反射／透過可能な第１の光学素子と、
前記第１の光学素子により反射された光束を用いて被写体を観察可能に構成されたファインダ手段と、
前記第１の光学素子を透過した光束の一部を光電変換して画像信号を出力する撮像素子と、
前記第１の光学素子を透過した光束の一部を反射する第２の光学素子と、
前記第２の光学素子により反射された光束を用いて焦点状態を検出する第１の検出手段と、
前記撮像素子により出力された画像信号に基づいて焦点状態を検出する第２の検出手段と、
選択された焦点状態の検出対象領域に応じて、前記第１の光学素子による前記光束の透過率を可変制御する透過率制御手段とを備える
ことを特徴とする撮像装置。
【請求項２】
前記透過率制御手段は、前記第１の検出手段による焦点状態の検出対象領域である第１の領域が選択された場合に、前記第１の光学素子における前記第１の領域の透過率を上げるとともに、前記第１の領域以外の領域に入射される光束を全反射するように制御する
ことを特徴とする請求項１に記載の撮像装置。
【請求項３】
前記透過率制御手段は、前記第１の領域が選択されず、前記第１の光学素子における、前記第２の検出手段による焦点状態の検出対象領域である第２の領域が選択された場合に、当該選択された第２の領域の透過率を上げるとともに、当該選択された第２の領域以外の領域に入射される光束を全反射するように制御する
ことを特徴とする請求項１または請求項２に記載の撮像装置。
【請求項４】
前記透過率制御手段は、さらに、焦点状態の検出が指示されたことに応じて、前記第１の光学素子の全領域を半透過状態にする
ことを特徴とする請求項１乃至３のいずれか１項に記載の撮像装置。
【請求項５】
前記透過率制御手段は、さらに、焦点状態の検出が指示されたことに応じて、前記第１の光学素子の全領域を半透過状態にし、
前記透過率制御手段は、
前記第１の領域が選択された場合に、前記第１の光学素子における前記第１の領域の透過率を上げるとともに、前記第１の領域以外の領域については前記半透過状態を維持し、
前記第１の領域が選択されず、前記第１の光学素子における、前記第２の検出手段による焦点状態の検出対象領域である第２の領域が選択された場合に、当該選択された第２の領域の透過率を上げるとともに、当該第２の領域以外の領域については前記半透過状態を維持する
ことを特徴とする請求項１に記載の撮像装置。
【請求項６】
前記第１の検出手段は、被写体の２像の位相差に基づいて焦点状態を検出し、
前記第２の検出手段は、前記撮像素子が出力する画像信号のコントラストの検出結果に基づいて焦点状態を検出する
ことを特徴とする請求項１乃至５のいずれか１項に記載の撮像装置。
【請求項７】
前記第１の検出手段は、被写体の２像の位相差から焦点状態を検出し、
前記第２の検出手段は、前記撮像素子が出力する画像信号から得られる被写体の２像の位相差に基づいて焦点状態を検出する
ことを特徴とする請求項１乃至５のいずれか１項に記載の撮像装置。
【請求項８】
撮影レンズを介して入射される光束を反射／透過可能な第１の光学素子と、前記第１の光学素子により反射された光束を用いて被写体を観察可能に構成されたファインダ手段と、前記第１の光学素子を透過した光束の一部を光電変換して画像信号を出力する撮像素子と、前記第１の光学素子を透過した光束の一部を反射する第２の光学素子と、前記第２の光学素子により反射された光束を用いて焦点状態を検出する第１の検出手段と、前記撮像素子により出力された画像信号に基づいて焦点状態を検出する第２の検出手段とを備える撮像装置の制御方法であって、
選択された焦点状態の検出対象領域に応じて、前記第１の光学素子による前記光束の透過率を可変制御する
ことを特徴とする制御方法。
【発明の詳細な説明】
【技術分野】
【０００１】
本発明は、撮像装置およびその制御方法に関する。
【背景技術】
【０００２】
位相差検出方式の焦点検出（位相差ＡＦ）を適用する撮像装置が提案されている。位相差ＡＦは、撮影レンズを介して入射した被写体光の光路に配置されているメインミラーのハーフミラー部分を通過した光を、メインミラー後方に配置されたサブミラーで反射させ、焦点検出部に導くことで焦点検出を行う。位相差ＡＦは、高速に焦点検出を行えるという特徴がある。
【０００３】
また、撮像素子から出力される画像信号のコントラストのピーク値を算出することを通じた焦点検出（コントラストＡＦ）を適用する撮像装置も提案されている。コントラストＡＦは、焦点検出速度は位相差ＡＦほど高速ではないが、高精度の合焦制御が可能であるといった特徴がある。
【０００４】
上記の位相差ＡＦとコントラストＡＦとを組み合わせて合焦制御を行う、ハイブリットＡＦなども知られている。例えば、特許文献１は、ペリクルミラーを備える撮像装置であって、位相差ＡＦで粗調整を行い、その後コントラストＡＦにより微調整することで高精度の合焦制御を得る撮像装置を開示している。特許文献２は、ハイブリットＡＦ方式での２つの焦点検出結果の差を高速に補正するカメラシステムを開示している。また、特許文献３は、光を反射させる反射状態と光を透過させる透過状態とに切換可能な切換領域を有する調光ミラーを通じてサブミラーに導かれ反射された光を用いて焦点検出を行う撮像装置を開示している。
【先行技術文献】
【特許文献】
【０００５】
【特許文献１】特開２００４−１０９８６４号公報
【特許文献２】特開２００９−１７５２７９号公報
【特許文献３】特開２００８−３０４５７６号公報
【発明の概要】
【発明が解決しようとする課題】
【０００６】
位相差ＡＦは、合焦は早いが、サブミラーにより焦点検出部へ反射された光を用いてＡＦを行うため、焦点状態の検出対象領域がサブミラーの大きさに比例する。したがって、撮像装置が位相差ＡＦを適用する場合、焦点状態の検出対象領域が、サブミラー領域である画面中央に限られている。その結果、被写体がサブミラー領域外、つまり位相差ＡＦの領域外にある場合や、位相差ＡＦの範囲内から範囲外に移動した場合、撮像装置は焦点検出することができない。
【０００７】
撮像装置がコントラストＡＦを適用する場合、撮像面全面において高精度な焦点検出を行うことができるが、光路上からのメインミラーの退避などのために、専用モードへの切換えが必要でありタイムラグが生じる。また、コントラストＡＦは、位相差ＡＦと比較すると合焦までに時間がかかるため、撮影したい瞬間を逃してしまう可能性がある。さらに、一般に、コントラストＡＦ時は、メインミラーが撮影レンズの光路上から退避しており、撮像素子において焦点検出を行い、撮影された画像を液晶表示装置等による電子ビューファインダを用いて表示している。したがって、ユーザが、光学式ファインダを覗きながら焦点検出及び撮影をすることができない。
【０００８】
特許文献１に記載の撮像装置は、メインミラーにペリクルミラーを用いて、位相差ＡＦで粗調整を行い、その後コントラストＡＦにより微調整する。これにより焦点検出の精度及び速度を向上させる。しかし、この撮像装置では、焦点検出できるのはサブミラー領域内であり、サブミラー領域外について焦点検出することは困難である。また、特許文献１に記載の撮像装置では、ペリクルミラーにより常に光が透過するため、光学ファインダ部に導かれる光量が減ることでファインダ像が暗くなる。
【０００９】
また、特許文献２に記載のカメラシステムでは、位相差ＡＦとコントラストＡＦとが可能であるが、光学ファインダ部がないので、光学ファインダを用いての焦点検出及び撮影をすることができない。また、このカメラシステムでは、ペリクルミラーにより常に光が透過するので、被写体の輝度に応じた最適な条件での焦点検出をすることができない。
【００１０】
また、特許文献３に記載の撮像装置は、透過率可変であるメインミラーを用いるので、焦点状態の検出対象領域毎に透過率を上げ、他の領域への光を反射させることで、充分な光量にて光学ファインダ観察を可能とする。しかし、特許文献３に記載の撮像装置では、焦点状態の検出対象領域はサブミラー領域のみであるので、撮像面全面における焦点検出を行うのは困難である。また、この撮像装置では、位相差ＡＦと同時にコントラストＡＦを行うことはできない。
【００１１】
本発明は、上記の課題の少なくとも一つを解決するためになされたものである。本発明は、撮像面全面において最適な焦点検出を行うことができ、かつ、最適な光量にてユーザが常に光学ファインダで被写体の観察を行うことを可能とする撮像装置の提供を目的とする。
【課題を解決するための手段】
【００１２】
本発明の一実施形態の撮像装置は、撮影レンズを介して入射される光束を反射／透過可能な第１の光学素子と、前記第１の光学素子により反射された光束を用いて被写体を観察可能に構成されたファインダ手段と、前記第１の光学素子を透過した光束の一部を光電変換して画像信号を出力する撮像素子と、前記第１の光学素子を透過した光束の一部を反射する第２の光学素子と、前記第２の光学素子により反射された光束を用いて焦点状態を検出する第１の検出手段と、前記撮像素子により出力された画像信号に基づいて焦点状態を検出する第２の検出手段と、選択された焦点状態の検出対象領域に応じて、前記第１の光学素子による前記光束の透過率を可変制御する透過率制御手段とを備える。
【発明の効果】
【００１３】
本発明の撮像装置によれば、撮像面全面において最適な焦点検出を行うことができ、かつ、最適な光量にてユーザが常に光学ファインダで被写体の観察を行うことが可能となる。
【図面の簡単な説明】
【００１４】
【図１】撮像装置の構成例を示す図である。
【図２】撮像装置の機能ブロック図の一例である。
【図３】ファインダ内表示の一例を示す図である。
【図４】実施例１の撮像装置の動作処理の例を説明するフローチャートである。
【図５】位相差ＡＦを行う時の撮像装置の構成を説明する図である。
【図６】コントラストＡＦを行う時の撮像装置の構成を説明する図である。
【図７】実施例２の撮像装置の動作処理の例を説明するフローチャートである。
【図８】ＡＦエリアを自動選択した時の撮像装置の構成例を示す図である。
【図９】実施例３の撮像装置の動作処理の例を説明するフローチャートである。
【発明を実施するための形態】
【００１５】
図１は、本実施形態の撮像装置の構成例を示す図である。図１に示す撮像装置は、一眼レフレックスカメラ（以下、単に「カメラ」と記述）である。カメラ１００は、カメラボディ１０１及びカメラボディ１０１に交換可能に装着される撮影レンズ１０２を備える。撮影レンズ１０２は、フォーカスレンズ１０３などの複数のレンズ（図示省略）、絞り（図示省略）等を備える。なお、撮影レンズ１０２は交換可能なものではなく、カメラボディ１０１と一体に固定されていてもよい。
【００１６】
カメラボディ１０１の内部には、ＣＣＤやＣＭＯＳ等により構成される撮像素子１０５が設けられている。撮像素子１０５は、撮像面に結像された被写体を画像信号に変換して出力する。なお、ＣＣＤは、Ｃｈａｒｇｅ  Ｃｏｕｐｌｅｄ  Ｄｅｖｉｃｅの略称である。また、ＣＭＯＳは、Ｃｏｍｐｌｅｍｅｎｔａｒｙ  Ｍｅｔａｌ  Ｏｘｉｄｅ  Ｓｅｍｉｃｏｎｄｕｃｔｏｒの略称である。
【００１７】
また、撮像素子１０５の前方には、露光時間を調整するメカニカルシャッタ１０６が設けられている。カメラボディ１０１内において、メカニカルシャッタ１０６より前方にメインミラー１０７及びサブミラー１０８が設けられている。メインミラー１０７は、ミラーダウン状態とミラーアップ状態とに選択的に切り換わることが可能なミラーである。ミラーダウン状態は、メインミラー１０７が、撮影レンズ１０２を介して入射する被写体光の光路内に配置される状態である。ミラーアップ状態は、メインミラー１０７が、図１において時計方向に回転し撮影レンズ１０２から入射する被写体光の光路外に退避する状態である。
【００１８】
また、メインミラー１０７は、撮影レンズ１０２から入射する光を透過させる透過率、及び光を反射させる反射率を可変制御可能な調光機能をミラー全面において有している。入射する光を反射する反射状態と、入射する光を透過する透過状態との切換は、メインミラー１０７において部分的に行うことができる（図示省略）。さらに、透過率制御部２０２（図２）により印加する電圧を制御することで、透過率及び反射率を任意の値に制御することができる。これにより、メインミラー１０７は、撮影レンズ１０２を介して入射される光束を反射／透過可能な第１の光学素子として機能する。
【００１９】
サブミラー１０８は、撮影レンズ１０２を介して入射し、メインミラー１０７を透過した光の一部を反射させ、焦点検出部１０９に導く第２の光学素子である。サブミラー１０８は、メインミラー１０７の回転に連動して回転される。
【００２０】
カメラボディ１０１において、光学ファインダ部１０４は、撮影レンズ１０２やメインミラー１０７を介して形成される被写体の光像を目視観察するための光学ファインダである。すなわち、光学ファインダ部１０４は、メインミラー１０７により反射された光束を用いて被写体を観察可能に構成されたファインダ手段として機能する。光学ファインダ部１０４は、メインミラー１０７で上方に反射した光により被写体像が形成される焦点板１１０、焦点板１１０に形成された被写体像を反転するペンタプリズム１１１を備える。また、光学ファインダ部１０４は、被写体輝度を測光する測光素子１１２、及び測光光学系１１３、被写体像を観察する接眼部１１４を備える。光学ファインダ部１０４には、フォーカスエリアに対応したエリアマークやその他の情報を供給し、観察者が接眼部１１４を介して撮影領域内で重畳的に視認可能とするための装置（図示省略）が設けられている。
【００２１】
なお、カメラ１００の操作部には、電源釦、レリーズ釦等の他にハイブリットＡＦモード切換え手段が設けられている（図示省略）。ハイブリットＡＦモードにするための専用のモード釦をカメラ１００に設けずとも、メニューからハイブリットＡＦモードを選択できるようにしてもよい。また、例えばＡＦのドライブモードに連写が選択された場合や、動いている被写体を撮影するＡＦモードが選択された場合に、自動的にハイブリットＡＦモードに切換るようにしてもよい。
【００２２】
図２は、本実施形態の撮像装置の機能ブロック図の一例である。カメラ１００は、各種処理を制御する制御部２００を備える。制御部２００は、撮像素子１０５、焦点検出部１０９、測光素子１１２、表示部１１５、焦点制御部１１６、検出領域選択操作部２０１、透過率制御部２０２を制御する。また、制御部２００は、撮像素子１０５に設けられた焦点検出部２０３、記録部２０４等を制御する。
【００２３】
検出領域選択操作部２０１は、焦点状態の検出対象領域（ＡＦエリア）を選択する。検出領域選択操作部２０１は、例えば、ユーザによる釦操作にしたがって、焦点状態の検出対象領域を選択する。検出領域選択操作部２０１が、液晶画面上でのユーザのタッチ操作にしたがって、焦点状態の検出対象領域を選択するようにしてもよい。
【００２４】
制御部２００は、検出領域選択操作部２０１により選択された焦点状態の検出対象領域に応じて、透過率制御部２０２に対して、メインミラー１０７に対して印加する電圧を変化させるように指示する。透過率制御部２０２は、制御部２００からの指示にしたがって、メインミラー１０７に対して印加する電圧を変化させる。これにより、メインミラー１０７を、撮影レンズ１０２から入射した光を光学ファインダ部１０４に反射させる反射状態と、光を焦点検出部１０９及び撮像素子１０５に導く透過状態とに、それぞれ所定の割合で切換えることができる。すなわち、透過率制御部２０２は、選択された焦点状態の検出対象領域に応じて、メインミラー１０７による光束の透過率を可変制御する透過率制御手段として機能する。
【００２５】
透過状態は、入射した光の全てを透過する状態から当該光を所定の割合で透過する状態までを含む。さらに、透過状態と反射状態との切換えは、メインミラー１０７において部分的にできるものであって、透過率制御部２０２が、各領域に対して印加する電圧を制御することで、任意の位置の透過率を自由な値に設定することができる。これにより、撮像素子１０５は、メインミラー１０７を透過した光束の一部を光電変換して画像信号を出力する。
【００２６】
焦点検出部１０９は，サブミラー１０８により反射された光束を用いて焦点状態を検出する第１の検出手段として機能する。焦点検出部１０９は、位相差ＡＦを行う。また、撮像素子１０５には焦点検出部２０３が備えられており、コントラストＡＦを行って、被写体までの焦点距離を測定する。具体的には、焦点検出部２０３は、撮像素子１０５が出力する画像信号のコントラストの検出結果に基づいて焦点状態を検出する。すなわち、焦点検出部２０３は、撮像素子１０５により出力された画像信号に基づいて焦点状態を検出する第２の検出手段として機能する。なお、焦点検出部２０３はコントラストＡＦに限らず、撮像素子１０５が出力する画像信号に基づいて、位相差ＡＦを行ってもよい。例えば、撮像素子１０５にマイクロレンズを設け、焦点検出部２０３が、当該マイクロレンズを介して得られる被写体の２像の位相差に基づいて焦点状態を検出するようにしてもよい。
【００２７】
図３は、光学ファインダ部の観察時におけるファインダ内表示の一例を示す図である。符号３００は、撮像範囲を示す。符号３０１は、各ＡＦフレームを示す。符号３０２は、位相差ＡＦ領域を示す。位相差ＡＦ領域は、焦点検出部１０９による焦点状態の検出対象領域、つまり位相差ＡＦ可能な領域（第１の領域）である。なお、図３では、全てのＡＦフレームが表示されているが、一度に全てのＡＦフレームを表示させる必要はなく、ＡＦの設定により表示する範囲を変更できてもよい。例えば、通常状態ではＡＦフレームを非表示状態とし、レリーズ釦が半押しされた時点でＡＦフレームを表示しても良いし、常にＡＦフレームを表示状態としてもよい。また、例えば、ＡＦ範囲（焦点状態の検出対象領域の範囲）の設定により位相差ＡＦの領域のみＡＦフレームを表示させてもよい。ＡＦフレームの数、形、及び配置などは、図３に示すものに限定されない。
【００２８】
（実施例１）
図４は、実施例１の撮像装置の動作処理の例を説明するフローチャートである。図５は、位相差ＡＦを行う時の撮像装置の構成を説明する図である。また、図６は、コントラストＡＦを行う時の撮像装置の構成を説明する図である。
【００２９】
カメラ１００の電源がオンされると（ステップＳ１００）、制御部２００が、透過率制御部２０２に指示して、印加する電圧を制御し、メインミラー１０７において、位相差ＡＦ領域３０２の透過率を上げ、半透過状態にする。また、制御部２００は、撮像範囲３００のうち位相差ＡＦ領域以外の領域（第１の領域以外の領域）を全反射状態にする（ステップＳ１０１）。
【００３０】
制御部２００が、レリーズ釦半押し等によるＡＦ動作開始の指示が実行されたかを判断する（ステップＳ１０２）。ＡＦ動作開始の指示は、焦点状態の検出の指示である。ＡＦ動作開始の指示が実行されていない場合は、処理がステップＳ１０１に戻る。ＡＦ動作開始の指示が実行された場合は、処理がステップＳ１０３に進む。続いて、制御部２００が、ユーザによる釦操作にしたがって検出領域選択操作部２０１が選択したＡＦエリアが位相差ＡＦ領域３０２内であるかを判断する（ステップＳ１０３）。
【００３１】
検出領域選択操作部２０１が選択したＡＦエリアが位相差ＡＦ領域３０２内である場合は、処理がステップＳ１０４に進む。続いて、制御部２００が、透過率制御部２０２に指示して、印加する電圧を制御し、メインミラー１０７において選択されたＡＦエリア３０３に対応する領域の透過率を上げる（ステップＳ１０４）。これにより、図５に示すように、ＡＦエリア３０３に対応する領域を透過した光が、サブミラー１０８を介して焦点検出部１０９に入射する。制御部２００は、選択された領域以外の領域（ＡＦエリア３０３以外の領域）を、全反射状態に切換える。このとき、ＡＦエリア３０３に対応するメインミラー１０７の領域、つまりピント位置においては、他の領域に比べ透過率が高くて反射率が低い。したがって、焦点状態の検出処理時は光学ファインダ部１０４にてピントが合っている位置における光量は他と比べて少ないので、光学ファインダ部１０４にて観察される画像において、ピントが合っている位置が暗くなることが考えられる。しかし、焦点状態の検出処理の時間は短時間であるため、暗くなる時間も瞬間的であるので、ファインダ部１０４での観察には問題がない。
【００３２】
次に、制御部２００が、メインミラー１０７においてＡＦエリア３０３に対応する領域を通過し、サブミラー１０８にて反射され焦点検出部１０９に導かれた光を用いて、位相差ＡＦによりデフォーカス量を検出する（ステップＳ１０５）。検出されたデフォーカス量に基づいた信号が焦点調節部１１６へ送られると、焦点調節部１１６が、撮影レンズ１０２内のレンズを光軸方向に駆動し（ステップＳ１０９）、焦点を合わせる。これを合焦するまで繰り返し（ステップＳ１１０）、撮影する（ステップＳ１１１）。
【００３３】
検出領域選択操作部２０１が選択したＡＦエリアが位相差ＡＦ領域３０２内でない場合は、処理がステップＳ１０６に進む。この例では、被写体が位相差ＡＦ領域３０２の範囲外に移動し、ユーザが、当該被写体に対応するＡＦエリア（例えば図３中のＡＦエリア３０４）を選択したものとする。選択されたＡＦエリアは、メインミラー１０７における、焦点検出部２０３による焦点状態の検出対象領域（第２の領域）である。
【００３４】
制御部２００が、図６に示すように、シャッタ１０６を開放させる（ステップＳ１０６）。続いて、制御部２００が、透過率制御部２０２に指示して、印加する電圧を制御し、メインミラー１０７において選択されたＡＦエリアに対応する領域の透過率を上げ（ステップＳ１０７）、撮像素子１０５に光を導く。なお、制御部２００は、選択されたＡＦエリア以外の領域（第２の領域以外の領域）を全反射状態に切換える。
【００３５】
そして、制御部２００が、メインミラー１０７において選択されたＡＦエリア３０４に対応する領域を通過し、撮像素子１０５に導かれた光を用いて、コントラストＡＦによりピーク値を検出する（ステップＳ１０８）。そして、処理がステップＳ１０９に進み、検出されたピーク値に基づいた信号が焦点調節部１１６へ送られ、焦点調節部１１６が、撮影レンズ１０２内のレンズを光軸方向に駆動する（ステップＳ１０９）。
【００３６】
実施例１の撮像装置によれば、撮影者はライブビューモードなど特別なモードへの切換えなしに、光学ファインダで被写体を観察しながら撮像面全面において最適なＡＦが可能となる。また、撮像装置は、選択されたＡＦエリアのみ光を透過し、その他の部分は反射してファインダ部１０４に光を導くので、充分な光量を用いた光学ファインダ部１０４による被写体の観察が可能となる。
【００３７】
なお、透過率を変更する領域はＡＦエリア３０３のようにピンポイントでもよいし、被写体全体や、顔の部分を認識してその範囲の透過率を上げるなどでもよく、撮影者が任意に選択できるようにしても良い。また、被写体の輝度、ＡＦエリアの大きさなどに応じて透過率１００％としても良いし、例えば透過率３０％、反射率７０％として光学ファインダ―部１１４に多くの光を導くようにするなど、透過率は任意に制御が可能である。
【００３８】
（実施例２）
図７は、実施例２の撮像装置の動作処理の例を説明するフローチャートである。本実施例の撮像装置は、ＡＦエリアを自動で選択する。図８は、ＡＦエリアを自動選択した時の撮像装置の構成例を示す図である。
【００３９】
ステップＳ２００は、図４のステップＳ１００と同様である。ステップＳ２０３乃至（ステップＳ２１１は、図４のステップＳ１０２乃至ステップＳ１１１と同様である。
【００４０】
実施例２では、ステップＳ２０１において、制御部２００が、図８に示すように、シャッタ１０６を開放する。そして、制御部２００が、透過率制御部２０２に指示して、メインミラー１０７に印加する電圧を制御し、メインミラー１０７の全領域において透過率を上げて、半透過状態とする（ステップＳ２０２）。これにより、撮影レンズ１０２からの入射光が、メインミラー１０７の中央部ではサブミラー１０８にて反射され、焦点検出部１０９に光が導かれ、位相差ＡＦが可能となる。また、メインミラーの周辺部では、入射光がメインミラー１０７を透過し、撮像素子１０５に光が導かれ、コントラストＡＦが可能となる。つまり、位相差ＡＦとコントラストＡＦとの双方がスタンバイ状態となる。
【００４１】
本実施例では、制御部２００が、ＡＦエリアを自動選択する。例えば、制御部２００は、公知の被写体検出技術を用いて主被写体を検出し、検出した主被写体に対応するＡＦエリアを自動選択する。そして、ステップＳ２０４において、制御部２００が、自動選択されたＡＦエリアが位相差ＡＦ領域３０２内であるかを判断する。ステップＳ２０４以降の処理は、実施例１と同様である。実施例２の撮像装置によれば、被写体に対応するＡＦエリアを自動選択することができる。
【００４２】
（実施例３）
実施例１、２の撮像装置は、主にポートレートや風景など、被写体の動きが少ないシーンにおいて好適に適用可能である。実施例３の撮像装置は、スポーツやレースなど、被写体に動きのあるシーンにおいて好適に適用可能である。
【００４３】
図９は、実施例３の撮像装置の動作処理の例を説明するフローチャートである。ステップＳ３００は、図７のステップＳ２００と同様である。ステップＳ３０２乃至Ｓ３０５は、図７のステップＳ２０２乃至Ｓ２０５と同様である。また、ステップＳ３１０およびステップＳ３１２は、図７のステップＳ２０９乃至Ｓ２１１と同様である。
【００４４】
実施例３では、ステップＳ３０１において、撮影者の指示にしたがって、制御部２００が、ハイブリットＡＦモードを選択する。ハイブリットＡＦモードは、位相差ＡＦとコントラストＡＦとを組み合わせて合焦制御を行う動作モードである。制御部２００は、図８に示すように、シャッタを開放し（ステップＳ３０２）、メインミラー１０７の全面において透過率を上げ半透過状態にする（ステップＳ３０３）。これにより、メインミラー１０７の中央部では位相差ＡＦが、周辺部ではコントラストＡＦが可能となる。
【００４５】
また、実施例３では、撮影者により選択または自動選択されたＡＦエリアが位相差ＡＦ領域３０２内である場合に、制御部２００が、以下の処理を実行する。制御部２００は、透過率制御部２０２に指示して、メインミラー１０７において印加する電圧を制御し、選択されたＡＦエリア３０３に対応する領域の透過率をさらに上げ、入射光を透過させて焦点検出部１０９に導く（ステップＳ３０６）。制御部２００は、メインミラー１０７におけるＡＦエリア３０３以外の領域については、半透過状態を維持する。これにより、メインミラー１０７に入射する光の一部が光学ファインダ１０４に導かれ、被写体を観察できるようにする。メインミラー１０７に入射する光の他の一部は、焦点検出部１０９と撮像素子１０５に導かれ、焦点状態の検出処理に用いられる。そして、制御部２００が、焦点検出部１０９に入射した光を用いて位相差ＡＦを行い、デフォーカス量を検出する（ステップＳ３０７）。
【００４６】
ここで、最初にメインミラー１０７全面において半透過状態にするとき（ステップＳ３０３）の透過率は、低くなるように設定しておく。なぜなら、光学ファインダ１０４に多くの光を導き観察しやすくするためである。そして、制御部２００は、焦点状態の検出処理が実行されたらそのエリアの透過率を上げ、焦点状態の検出の精度を高める。
【００４７】
また、実施例３では、撮影者により選択または自動選択されたＡＦエリアが位相差ＡＦ領域３０２内でない場合に、制御部２００が、以下の処理を実行する。制御部２００は、メインミラー１０７にて、選択されたＡＦエリアの透過率をさらに上げ（ステップＳ３０８）、入射光を透過させて撮像素子１０５に入射させる。なお、制御部２００は、メインミラー１０７に入射するその他の入射光は、引き続き半透過させ、一部は光学ファインダ１０４へ導き観察を、一部は焦点検出部１０９と撮像素子１０５に導き、焦点状態の検出処理に用いる。
【００４８】
上述したように、ハイブリットＡＦモード選択時は、メインミラー１０７において、選択されたＡＦエリアに対応する領域は透過状態であり、その他の部分も半透過状態である。したがって、光学ファインダ部１０４、焦点検出部１０９、及び撮像素子１０５の各々に光が導かれる。これにより、本実施例では、位相差ＡＦ又はコントラストＡＦのどちらか一方が使用中であっても、他方のＡＦはスタンバイ状態である。そのため、被写体が位相差ＡＦの範囲外に移動した場合も合焦し続けることが可能である。また撮影者が、異なる被写体を選択し直した場合も、すぐに対象の選択が可能である。
【００４９】
つまり、最初にＡＦエリア３０１にいた被写体が、コントラストＡＦ中に位相差ＡＦの領域３０３に移動した場合、位相差ＡＦの領域外ではコントラストＡＦを行い、位相差ＡＦの領域３０３に移動した場合は位相差ＡＦに切換えて焦点状態を検出する。そのため、被写体の急な動きにも対応ができる。また、常に光学ファインダによる被写体観察が可能である。その結果、スポーツやレースなどの動きのあるシーンに最適な撮影が可能となる。
【００５０】
以上、本発明の好ましい実施例について説明したが、本発明はこれらの実施例に限定されず、その要旨の範囲内で種々の変形及び変更が可能である。
【００５１】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００５２】
１００  カメラ
１０４  ファインダ部
１０５  撮像素子
１０６  シャッタ
１０７  メインミラー
１０８  サブミラー
１０９  焦点検出部
【図１】
2014202780.tif 000003
【図２】
2014202780.tif 000004
【図３】
2014202780.tif 000005
【図４】
2014202780.tif 000006
【図５】
2014202780.tif 000007
【図６】
2014202780.tif 000008
【図７】
2014202780.tif 000009
【図８】
2014202780.tif 000010
【図９】
2014202780.tif 000011